(57)【要約】【課題】通常のランドセルに簡単に装着でき、ランドセルの蓋板に取り付けた防災頭巾を頭部に被せることにより、災害時の危険落下物や飛来物からランドセル背負い者を保護することのできるランドセル用防災頭巾を提供する。【解決手段】蓋板６の略横幅に相当する幅長さを有する布地部１２と、布地部の上縁に連接され、かつ蓋板の上部近傍部位へ延在する吊下げ布部１３と、布地部の前面に形成され、かつ吊下げ布部に向って開口し、ランドセル背負い者の頭部を囲包する袋部１６と、蓋板の横幅に対応する長さを有して布地部の裏面に形成され、かつ蓋板の下部〜中途部が挿入される帯布部１８とを有し、吊下げ布部はランドセルの背部上縁の掛留め部に連結され、布地部裏面と帯布部との間にランドセルの蓋板が挿抜自在に挿入され、ランドセルの蓋板を開き、蓋板に装着した防災頭巾１１をランドセル背負い者の頭部に被せる。【選択図】  図１
0003210704.tif 000002
【実用新案登録請求の範囲】
【請求項１】
ランドセルの蓋板外面に取り付けられるランドセル用防災頭巾であって、
前記蓋板の略横幅に相当する幅長さを有する布地部と、
前記布地部の上縁に連接され、かつ前記蓋板の上部近傍部位へ延在する吊下げ布部と、
前記布地部の前面に形成され、かつ前記吊下げ布部に向って開口し、ランドセル背負い者の頭部を囲包する大きさをもつ袋部と、
前記蓋板の横幅に対応する長さを有して前記布地部の裏面に形成され、かつ前記蓋板の下部〜中途部が挿入される帯布部とを有し、
前記吊下げ布部は前記ランドセルの背部上縁の掛留め部に長さ調整可能な紐部材を介して連結されるようになっており、
前記布地部裏面と前記帯布部との間に前記ランドセルの前記蓋板が挿抜自在に挿入されるようになっており、
前記布地部を装着したランドセルの前記蓋板を開いて前記布地部の前記袋部をランドセル背負い者の頭部に被せたとき、前記布地部の張力で前記蓋板が前記ランドセル背負い者の肩部〜後頭部を覆うように全開状態に保持されることを特徴とするランドセル用防災頭巾。
【請求項２】
蓋板前面に防災頭巾を有する防災型ランドセルであって、
前記防災頭巾は、前記蓋板の略横幅に相当する幅長さを有する布地部と、前記布地部の上縁に連接され、かつ前記蓋板の上部近傍部位へ延在する吊下げ布部と、前記布地部の前面に形成され、かつ前記吊下げ布部に向って開口し、ランドセル背負い者の頭部を囲包する大きさをもつ袋部と、前記蓋板の横幅に対応する長さを有して前記布地部の裏面に形成され、かつ前記蓋板の下部〜中途部が挿入される帯布部とを有し、前記吊下げ布部は前記ランドセルの背部上縁の掛留め部に長さ調整可能な紐部材を介して連結されるようになっており、前記布地部裏面と前記帯布部との間に前記ランドセルの前記蓋板が挿抜自在に挿入されるようになっており、前記布地部を装着したランドセルの前記蓋板を開いて前記布地部の前記袋部をランドセル背負い者の頭部に被せたとき、前記布地部の張力で前記蓋板が前記ランドセル背負い者の肩部〜後頭部を覆うように全開状態に保持されることを特徴とする防災型ランドセル。
【請求項３】
前記蓋板の裏面根元部ないしランドセル本体部の上部開口縁に取り付けられ、前記蓋板の開き状態で前記ランドセル本体部の上部開口を閉鎖する内蓋部材を有することを特徴とする請求項２に記載した防災型ランドセル。
【考案の詳細な説明】
【技術分野】
【０００１】
本考案はランドセル用防災頭巾および防災型ランドセルに関し、特に、災害時にランドセルを背負った状態で小物落下物や危険物に対して使用者の頭部や背頸部、肩部を保護することができるランドセル用防災頭巾および防災型ランドセルに関する。
【背景技術】
【０００２】
小学生等が登下校時に背負い鞄として使用するランドセルは、その背負い心地をよくするためにランドセル本体の背部〜下側部に取り付けられる背負いベルトに工夫を凝らしたり（特許文献１）、ランドセル本体の矩形箱状の物品収納部内に収納袋を別体で出し入れ自在に配置し、これによって本やノート、ペンケース等が箱状の収容部内でバラ付いたり傷んだりするのを防止するようにしたもの（特許文献２）、あるいは日暮れ時等に自転車や走行車両の運転者に警告を与えるように蛍光性の帯材を貼り付けたもの等、使い心地や安全性に配慮した種々のものが開発されている。
【０００３】
また、災害時にランドセル使用者の頭部や顔面を防護するような防災機能を付加したランドセルも既に開示されている（例えば特許文献３）。この構造のものにあっては、矩形箱状のランドセル本体の背板および底片を開き状態に分解できるようにし、災害時に使用者の頭部をランドセル本体の背部の開き部分に入れる、つまりランドセル自体を頭に被るようにすることで防災を果たす構造としている。
【０００４】
また、ランドセル本体の上部開口を覆って該開口から本体正面に重なる蓋板を本体の底板まで覆うように長く延ばし、さらに蓋板の延長部分の両側部に折りたたみ可能な側片を設け、災害避難時には蓋板の延長部をランドセル背負い児童の頭部上方へ被せるとともに、折りたたんだ蓋板両側部の側片を開いて顔面の左右側部を覆うように前記側片を頭上の蓋板から垂下させる構造としている。
【先行技術文献】
【特許文献】
【０００５】
【特許文献１】実用新案登録第３１２６８８７号公報
【特許文献２】特開２０１３−６６６６８号公報
【特許文献３】特開２００７−９００５９号公報
【考案の概要】
【考案が解決しようとする課題】
【０００６】
通学に際して小学生等が各種の教材を入れるためのランドセルは、背負い状態に保持するので、両手が自由となり、その点では便利な構造であるが、反面多くの本やノート等重い物を入れて背負う形態となるため、登下校時に災害に遭遇した時、迅速に逃走避難するなど機敏な動きが阻害されがちである。特に、歩行中に上から危険物が落下してくるような場合、重いランドセルを背負っていると、落下物を機敏に避けることが難しくなる。特許文献１に示すように背負いベルトに工夫を施してランドセルを使用者の背中にぴったりと面接触させて動き易くしたものでも、上からの危険落下物を機敏に避けるのは難しい。
【０００７】
特許文献３に示す防災頭巾機能付きランドセルは、上下に開閉する蓋板が底板の下面まで長く延在させているため、通常使用時の蓋板の開閉操作がやっかいである。また、硬質板状の蓋板を全開してランドセル背負い者の頭の頂部へのせる形態をとるため、避難に伴なう使用者の激しい動きや強風等で蓋板が頭上で安定せず、特に強風にあおられた時には身体全体がバランスを崩すおそれがある。さらにこの構造のものでは、顔面の両側部から顎まで覆う側片のため、左右の視界が制限される、といった問題が指摘される。
【０００８】
本考案は、一般の市販ランドセルに簡単に取り付けることができ、災害時には布地部を引き延ばしてその袋部分を頭にかぶることで、その張力によってランドセルの蓋板が使用者の背側で上方へ全開状態に延ばされた形となり、使用者の肩から後頸部をこの蓋板で覆うことができ、かつ布地部の袋部を頭部に被せることにより、災害時の危険落下物から頭部や背部、肩部および後頸部を保護することのできるランドセル用防災頭巾を提供することを目的とする。
【０００９】
本考案はまた、ランドセルの蓋板に上述の防災頭巾が装着された防災型ランドセルであって、災害時に前記蓋板を開き、この蓋板で使用者の背部や後頸部を保護するとともに、前記防災頭巾を被ることによってランドセル背負い者の頭部を保護することができる防災型ランドセルを提供することを目的とする。
【００１０】
本考案はまた、ランドセルの蓋板に上述の防災頭巾が装着された防災型ランドセルであって、前記蓋板を全開状態に開いた状態でも、災害時に上から落ちてくる小物、小片等の落下物や粉塵等がランドセル本体の収納部に入り込まないようにした防災型ランドセルを提供することを目的とするものである。
【課題を解決するための手段】
【００１１】
本考案によれば、ランドセルの蓋板外面に取り付けられるランドセル用防災頭巾であって、前記蓋板の略横幅に相当する幅長さを有する布地部と、前記布地部の上縁に連接され、かつ前記蓋板の上部近傍部位へ延在する吊下げ布部と、前記布地部の前面に形成され、かつ前記吊下げ布部に向って開口し、ランドセル背負い者の頭部を囲包する大きさをもつ袋部と、前記蓋板の横幅に対応する長さを有して前記布地部の裏面に形成され、かつ前記蓋板の下部〜中途部が挿入される帯布部とを有し、前記吊下げ布部は前記ランドセルの背部上縁の掛留め部に長さ調整可能な紐部材を介して連結されるようになっており、前記布地部裏面と前記帯布部との間に前記ランドセルの前記蓋板が挿抜自在に挿入されるようになっており、前記布地部を装着したランドセルの前記蓋板を開いて前記布地部の前記袋部をランドセル背負い者の頭部に被せたとき、前記布地部の張力で前記蓋板が前記ランドセル背負い者の肩部〜後頭部を覆うように全開状態に保持されることを特徴とするランドセル用防災頭巾が提供される。
【００１２】
また本考案によれば、蓋板前面に防災頭巾を有する防災型ランドセルであって、前記防災頭巾は、前記蓋板の略横幅に相当する幅長さを有する布地部と、前記布地部の上縁に連接され、かつ前記蓋板の上部近傍部位へ延在する吊下げ布部と、前記布地部の前面に形成され、かつ前記吊下げ布部に向って開口し、ランドセル背負い者の頭部を囲包する大きさをもつ袋部と、前記蓋板の横幅に対応する長さを有して前記布地部の裏面に形成され、かつ前記蓋板の下部〜中途部が挿入される帯布部とを有し、前記吊下げ布部は前記ランドセルの背部上縁の掛留め部に長さ可能な紐部材を介して連結されるようになっており、前記布地部裏面と前記帯布部との間に前記ランドセルの前記蓋板が挿抜自在に挿入されるようになっており、前記布地部を装着したランドセルの前記蓋板を開いて前記布地部の前記袋部をランドセル背負い者の頭部に被せたとき、前記布地部の張力で前記蓋板が前記ランドセル背負い者の肩部〜後頭部を覆うように全開状態に保持されることを特徴とする防災型ランドセルが提供される。
【００１３】
本考案の防災型ランドセルのひとつの形態によれば、前記蓋板の裏面根元部ないしランドセル本体部の上部開口縁に取り付けられ、前記蓋板の開き状態で前記ランドセル本体部の上部開口を閉鎖する内蓋部材を有する。
【考案の効果】
【００１４】
本考案に係るランドセル用防災頭巾は、災害時にランドセル背負い者の背部や肩あるいは頸部をランドセル本体の蓋板で保護でき、またランドセルの背負い状態で該ランドセルの蓋板に取り付けた防災頭巾の袋部をランドセル背負い者の頭部に被ることにより、ランドセル背負い者の頭部および頸部を災害時の落下物や飛散物から保護できる。
【００１５】
また、本考案に係るランドセル用防災頭巾は、装着するランドセルに対して何ら特別な加工や改造、仕様変更をすることなく、通常のランドセルに簡単に装着して防災型ランドセルとして構成でき、この防災型ランドセルから防災頭巾を取り外して通常のランドセルに戻すのも容易である。
【００１６】
また、本考案に係る防災型ランドセルは、防災頭巾を装着したままの状態でも通常時に支障なくランドセルとして使用でき、突然の災害発生時にも迅速に対応できる。
【図面の簡単な説明】
【００１７】
【図１】本考案の実施例１に係るランドセル用防災頭巾を装着した防災型ランドセルの斜視図である。
【図２】本考案の実施例１に係るランドセル用防災頭巾の正面図である。
【図３】図２に示すランドセル用防災頭巾の裏面図である。
【図４】ランドセル用防災頭巾を装着したランドセルの蓋板を全開に開いた状態を示す斜視図である。
【図５】災害発生時に本考案の実施例に係る防災型ランドセルを背負ってその防災頭巾をランドセル背負い者の頭部に被せた状態の側面図である。
【考案を実施するための形態】
【００１８】
次に、本考案を、図面を参照しつつ、好適な実施例について説明する。
（実施例１）
図１は本考案の実施例１に係るランドセル用防災頭巾１１を装着した防災型ランドセル１０の外観斜視図であり、適用されるランドセル自体としては市販されている一般の学童用ランドセルと同様に背負い状態で使用でき、蓋板６を開けて収納物の本や学用品を出し入れする形態も通常のランドセルと変わりない。この防災頭巾１１は一般のランドセルに簡単に装着でき、図示のような防災型ランドセル１０として構成できるが、このように防災頭巾１１を装着した防災型ランドセル１０から防災頭巾１１を簡単に取り外すこともできる。なお、この防災頭巾をランドセルに装着するに当たっては、ランドセル自体に何ら特別な加工や改造等を施す必要はない。
【００１９】
ランドセル本体部は、上部が開口した概略直方体形の収納箱部３と、収納箱部３の上部開口５を閉塞して箱部正面の下端３ａ近くまで垂下した蓋板６とによって構成されている。ランドセル本体部は収納箱部３の背面上端（使用者の背中に対面する側の上端）から下側部あるいは底部にわたって取り付けられている一対の背負いベルト２を有している。また、ランドセル本体部の背側上部の中央部分には、ランドセルを壁面等に掛けるための掛留め金具７が設けられているか、あるいは背負いベルト２をランドセル本体部の背部上端に連結するための掛留め金具（連結金具）７がランドセル本体部上端に設けられおり、この形態も通常のランドセルと変わるところはない。蓋板６は或る程度の剛性および強度を有し、その上端の箱部３の背側開口縁との連結部を支点にして上下に開閉し得るようになっている。蓋板６は開閉動作に際して反り返り等若干の変形が可能である。この構造も通常の市販ランドセルと変わるところはない。
【００２０】
図１〜図３を参照すれば、実施例１のランドセル用防災頭巾１１は全体としてランドセルの蓋板６の正面部分の横幅に概ね近い横幅をもつ矩形状布地部１２を有し、この布地部１２の上縁に、図示実施例にみられるような略三角形の吊下げ布部１３が例えば縫成等の手段で連結されている。吊下げ布部１３の三角形底辺は矩形状布地部１２の上縁の長さにほぼ等しくなっており、また吊下げ布部１３の上端（頂端）は蓋板６の上面部位近くまで延在している。そして、吊下げ布部１３の上端は適当な紐部材１５を介してランドセルの背部上縁に形成されている掛留め金具７、例えばランドセルを壁や柱板等に形成されたＬ形掛け金具に掛けるための環状金具や背負いベルトをランドセル本体部に連結する掛留め金具に連結されるようになっている。なお、吊下げ布部を吊り下げる紐部材１５は結び方を変えて全体の吊下げ長さを調整できるようになっている。
【００２１】
布地部１２の前面には、該布地部１２の下縁が閉塞され、かつ上縁が開口した袋部１６が形成されている。具体的には、当初に裁断形成した縦長の長方形布地の略中間部を折り返して袋部の開口が若干たるみをもつように、その両側部を符号１７（図２）の如く縫成することで布地部の前面に袋部１６が形成される。この袋部１６の大きさは、後述するように、ランドセル背負い者が頭部を額の部分まで袋部１６に挿入するのに充分な大きさに設定されている。
【００２２】
図３は図２に示す実施例のランドセル用防災頭巾の裏面を示した平面図である。布地部１２の裏面に該布地部の横幅にわたる長さの帯布部１８がその左右両端で布地部１２に符号１９の如く縫い合されている。この両端部の縫成により、布地部１２の裏面と帯布部１８との間は隙間が生じ、この隙間部分の横長さＷはランドセルの蓋板６の横幅より若干大きめに形成され、これによって蓋板６はその先端（下端）から帯布部１８と布地部１２裏面との間の隙間に挿入可能となっている。なお、上述の実施例では吊下げ布部１３を布地部１２と別体で形成し、吊下げ布部１３の下端を布地部１２に縫成で結合するようにしたが、布地部１２と吊下げ布部１３を一体の布材で形成してもよいことは勿論である。吊下げ布部１３の上端には紐部材１５（図１）を通すための小孔２０が形成されている。
【００２３】
上述した防災頭巾を装着したランドセルを背負って歩行する児童、生徒を災害時の落石や粉塵、強風による飛散物等から保護する場合について図４、図５を参照して説明する。まず、図４の如く、ランドセルの蓋板６を全開に開き、ランドセルの背部側で防災頭巾１１の布地部１２の袋部１６を図５のようにランドセル背負い者２１の頭部２２に被せるとともに、ランドセルの背負いベルト２に腕を通してランドセルを背負う。このとき、ランドセル背負い者２１の年齢や身長等の身体状況に応じて、布地部１２裏面と帯布部１８との間の隙間に挿入されている蓋板６に対して布地部１２全体が蓋板６に沿って移動し、ランドセル背負い者２１の後頸部ないし肩部〜背部を布地部１２およびこれに連結された吊下げ布部１３が背後から覆うとともに、ランドセルの蓋板６が布地部１２に引張られて全開状態となってランドセル背負い者２１の背後を覆い、これによってランドセル背負い者２１は、背部、後頭部から頭部まで含めて、災害時の飛散物、落下物等から保護される。
【００２４】
ランドセルの蓋板が全開に開かれている状態でも、ランドセル本体部の上部開口は内蓋部材２３によって閉じられているので、落下物や粉塵、飛散物等がランドセルの内部に浸入することはない。
【００２５】
以上説明したように、本考案に係るランドセル用防災頭巾は、市販の通常のランドセルを何ら特別な特別な加工や構造変更をすることなく簡単にランドセルに装着することができ、また、防災頭巾を装着したランドセルから防災頭巾を取り外すのも容易であり、災害発生時には防災頭巾をランドセルに迅速に装着して飛散物や落下物等から頭部や頸、肩や背中を保護することができる。
【符号の説明】
【００２６】
２  背負いベルト
３  収納箱部
５  上部開口
６  蓋板
７  掛留め金具
１０  防災型ランドセル
１１  ランドセル用防災頭巾
１２  布地部
１３  吊下げ布部
１５  紐部材
１６  袋部
１８  帯布部
２１  ランドセル背負い者
２３  内蓋部材
【図１】
0003210704.tif 000003
【図２】
0003210704.tif 000004
【図３】
0003210704.tif 000005
【図４】
0003210704.tif 000006
【図５】
0003210704.tif 000007